(57)【特許請求の範囲】
【請求項１】
基地局におけるワイヤレス通信の方法であって、
前記基地局に対応するセル識別子(セルID)に依存する第1の基準信号(RS)配置を使用して、直交周波数分割多重化(OFDM)シンボルの複数のサブバンドに含まれる第1のサブバンドにおいて、前記基地局からユーザ機器(UE)に第1のRSを送信するステップと、
前記基地局に対応する前記セルIDと無関係な第2のRS配置を使用して、前記OFDMシンボルの前記複数のサブバンドに含まれる第2のサブバンドにおいて、前記基地局から前記UEに第2のRSを送信するステップであって、前記第2のRSがUE固有RSを含む、ステップとを備え、
前記第1のサブバンドおよび前記第2のサブバンドが各々、前記OFDMシンボルの連続するサブキャリアを含み、前記第1のサブバンドが前記第2のサブバンドと異なる、方法。
【請求項２】
前記セルIDが仮想セルIDを備える、請求項1に記載の方法。
【請求項３】
前記第1のRS配置が前記基地局に対応する前記セルIDに依存することを示す、マスター情報ブロック(MIB)またはマスターシステム情報ブロック(MSIB)を送信するステップをさらに備える、請求項1に記載の方法。
【請求項４】
前記第1のRSが第1の共通RS(CRS)を備える、請求項1に記載の方法。
【請求項５】
前記第2のRSのための前記第2のRS配置が、前記第2のRSを送信するために使用されるキャリア周波数に基づく、請求項4に記載の方法。
【請求項６】
前記第2のRSのための前記第2のRS配置が前記基地局に対応する前記セルIDと無関係であることを示す、マスター情報ブロック(MIB)またはシステム情報ブロック(SIB)を送信するステップをさらに備える、請求項4に記載の方法。
【請求項７】
前記第1のRSが、モビリティ基準信号、ビーム訓練信号、および精緻化信号のうちの少なくとも1つを備える、請求項1に記載の方法。
【請求項８】
前記セルIDが仮想セルIDまたは測定IDのうちの少なくとも1つを備える、請求項7に記載の方法。
【請求項９】
前記第1のRS配置がさらに、前記OFDMシンボルのシンボルインデックスに依存する、請求項7に記載の方法。
【請求項１０】
基地局におけるワイヤレス通信のための装置であって、
メモリと、
前記メモリに結合された少なくとも1つのプロセッサとを備え、前記少なくとも1つのプロセッサが、前記装置に、
前記基地局に対応するセル識別子(セルID)に依存する第1の基準信号(RS)配置を使用して、直交周波数分割多重化(OFDM)シンボルの複数のサブバンドに含まれる第1のサブバンドにおいて、前記基地局からユーザ機器(UE)に第1のRSを送信することと、
前記基地局に対応する前記セルIDと無関係な第2のRS配置を使用して、前記OFDMシンボルの前記複数のサブバンドに含まれる第2のサブバンドにおいて、前記基地局から前記UEに第2のRSを送信することであって、前記第2のRSがUE固有RSを含む、ことと
をさせるように構成され、
前記第1のサブバンドおよび前記第2のサブバンドが各々、前記OFDMシンボルの連続するサブキャリアを含み、前記第1のサブバンドが前記第2のサブバンドと異なる、装置。
【請求項１１】
前記少なくとも1つのプロセッサがさらに、前記装置に、前記第1のRSのための前記第1のRS配置が前記基地局に対応する前記セルIDに依存することを示す、マスター情報ブロック(MIB)またはマスターシステム情報ブロック(MSIB)のうちの少なくとも1つを送信させるように構成される、請求項10に記載の装置。
【請求項１２】
前記少なくとも1つのプロセッサがさらに、前記装置に、前記第2のRSのための前記第2のRS配置が前記基地局に対応する前記セルIDと無関係であることを示す、マスター情報ブロック(MIB)またはシステム情報ブロック(SIB)のうちの少なくとも1つを送信させるように構成される、請求項10に記載の装置。
【請求項１３】
ユーザ機器(UE)におけるワイヤレス通信の方法であって、
基地局によって送信される第1の基準信号(RS)のための直交周波数分割多重化(OFDM)シンボルの複数のサブバンドに含まれる第1のサブバンドを特定するステップと、
前記OFDMシンボルの前記複数のサブバンドに含まれる前記第1のサブバンドの中の前記第1のRSのための第1のRS配置を決定するステップであって、前記第1のRS配置が前記基地局のセル識別子(セルID)に依存する、ステップと、
前記UEによって決定される前記第1のRS配置に基づいて前記基地局から前記第1のRSを受信するステップと、
第2のRSのために前記OFDMシンボルの前記複数のサブバンドの中の第2のサブバンドを特定するステップと、
前記OFDMシンボルの前記複数のサブバンドに含まれる前記第2のサブバンドの中の前記第2のRSのための第2のRS配置を決定するステップであって、前記第2のRS配置が前記基地局の前記セルIDと無関係であり、前記第2のRSがUE固有RSを含む、ステップと、
前記UEによって決定される前記第2のRS配置に基づいて前記基地局から前記第2のRSを受信するステップとを備え、
前記第1のサブバンドおよび前記第2のサブバンドが各々、前記OFDMシンボルの連続するサブキャリアを含み、前記第1のサブバンドが前記第2のサブバンドと異なる、方法。
【請求項１４】
前記第1のRSが共通RSを含む、請求項13に記載の方法。
【請求項１５】
ワイヤレス通信のための装置であって、
メモリと、
前記メモリに結合された少なくとも1つのプロセッサとを備え、前記少なくとも1つのプロセッサが、前記装置に、
基地局によって送信される第1の基準信号(RS)のための直交周波数分割多重化(OFDM)シンボルの複数のサブバンドに含まれる第1のサブバンドを特定することと、
前記OFDMシンボルの前記複数のサブバンドに含まれる前記第1のサブバンドの中の前記第1のRSのための第1のRS配置を決定することであって、前記第1のRS配置が前記基地局のセル識別子(セルID)に依存する、ことと、
UEによって決定される前記第1のRS配置に基づいて前記基地局から前記第1のRSを受信することと、
第2のRSのために前記OFDMシンボルの前記複数のサブバンドの中の第2のサブバンドを特定することと、
前記OFDMシンボルの前記複数のサブバンドに含まれる前記第2のサブバンドの中の前記第2のRSのための第2のRS配置を決定することであって、前記第2のRS配置が前記基地局の前記セルIDと無関係であり、前記第2のRSがUE固有RSを含む、ことと、
前記UEによって決定される前記第2のRS配置に基づいて前記基地局から前記第2のRSを受信することと
をさせるように構成され、
前記第1のサブバンドおよび前記第2のサブバンドが各々、前記OFDMシンボルの連続するサブキャリアを含み、前記第1のサブバンドが前記第2のサブバンドと異なる、装置。
【請求項１６】
前記第1のRSおよび前記第2のRSと異なる第3のRSを送信するステップをさらに備え、前記第3のRSがチャネル状態情報基準信号(CSI-RS)を備える、請求項1に記載の方法。
【請求項１７】
前記UE固有RSが、前記基地局から前記UEへのデータ送信と関連付けられる、請求項1に記載の方法。
【請求項１８】
前記第2のRSが、前記UEのためのデータとともに送信される、請求項1に記載の方法。
【請求項１９】
前記UE固有RSが、前記UEのための前記データと一緒に前記基地局から受信されるパイロットに相当する、請求項18に記載の方法。
【請求項２０】
前記少なくとも1つのプロセッサがさらに、前記装置に、
前記第1のRSおよび前記第2のRSと異なる第3のRSを送信させるように構成され、前記第3のRSがチャネル状態情報基準信号(CSI-RS)を備える、請求項10に記載の装置。
【請求項２１】
前記UE固有RSが、前記基地局から前記UEへのデータ送信と関連付けられる、請求項10に記載の装置。
【請求項２２】
前記UE固有RSが、前記UEのための前記データ送信と一緒に前記基地局から受信されるパイロットに相当する、請求項21に記載の装置。
【請求項２３】
前記第1のRSおよび前記第2のRSと異なる第3のRSを受信するステップをさらに備え、前記第3のRSがチャネル状態情報基準信号(CSI-RS)を備える、請求項13に記載の方法。
【請求項２４】
前記UE固有RSが、前記基地局から前記UEへのデータ送信と関連付けられる、請求項13に記載の方法。
【請求項２５】
前記UE固有RSが、前記UEのためのデータと一緒に受信される、請求項13に記載の方法。
【請求項２６】
前記UE固有RSが、前記UEのための前記データと一緒に前記基地局から受信されるパイロットに相当する、請求項25に記載の方法。
【請求項２７】
前記少なくとも1つのプロセッサがさらに、前記装置に、
前記第1のRSおよび前記第2のRSと異なる第3のRSを受信させるように構成され、前記第3のRSがチャネル状態情報基準信号(CSI-RS)を備える、請求項15に記載の装置。
【請求項２８】
前記UE固有RSが、前記基地局から前記UEへのデータ送信と関連付けられる、請求項15に記載の装置。
【請求項２９】
前記UE固有RSが、前記UEのための前記データ送信と一緒に前記基地局から受信されるパイロットに相当する、請求項28に記載の装置。
【発明の詳細な説明】
【技術分野】
【０００１】
関連出願の相互参照
本出願は、その全体が参照により本明細書に明確に組み込まれている、2017年1月13日に出願された「REFERENCE SIGNAL PLACEMENT WITHIN DIFFERENT SUBBANDS OF THE SAME OFDM SYMBOL」と題する米国仮出願第62/446,343号、および2017年9月22日に出願された「REFERENCE SIGNAL PLACEMENT WITHIN DIFFERENT SUBBANDS OF THE SAME OFDM SYMBOL」と題する米国特許出願第15/713,566号の利益を主張する。
【０００２】
本開示は、一般に通信システムに関し、より詳細には、基準信号(RS)の配置に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を利用し得る。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
これらの多元接続技術は、異なるワイヤレスデバイスが都市、国家、地域、さらには地球レベルで通信することを可能にする共通プロトコルを提供するために、様々な電気通信規格において採用されている。例示的な電気通信規格はLong Term Evolution(LTE)である。LTEは、第3世代パートナーシッププロジェクト(3GPP)によって公表されたUniversal Mobile Telecommunications System(UMTS)モバイル規格に対する拡張のセットである。別の例では、(new radio(NR)と呼ばれることがある)第5世代(5G)ワイヤレス通信技術は、現行のモバイルネットワーク世代に関する多様な使用シナリオおよび用途を拡張し、サポートすることが想定されている。一態様では、5G通信技術は、マルチメディアコンテンツ、サービス、およびデータにアクセスするための人間中心の使用事例に対処する拡張モバイルブロードバンドと、レイテンシおよび信頼性についての何らかの仕様を有する超高信頼低レイテンシ通信(URLLC:ultra-reliable-low latency communications)と、非常に多数の接続されるデバイスおよび遅延の影響を受けない比較的少量の情報の送信を可能にできる大容量マシンタイプ通信とを含み得る。しかしながら、モバイルブロードバンドアクセスに対する需要が増加し続けるにつれて、NR通信技術およびそれ以降におけるさらなる改善が望まれ得る。これらの改善は、他の多元接続技術、およびこれらの技術を採用する電気通信規格にも適用可能であり得る。
【発明の概要】
【課題を解決するための手段】
【０００５】
以下で、1つまたは複数の態様の基本的理解を可能にするために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００６】
5GまたはNRワイヤレス通信では、1つのOFDMシンボル内に、制御領域の異なるサブバンドの中に位置する複数のリソースセットがあり得る。本明細書で提示される態様は、同じOFDMシンボル内の異なるサブバンド上の異なるリソースセットに対しては異なるような、RS配置設計を提供する。
【０００７】
ある態様では、本開示は、基地局におけるワイヤレス通信の方法を含み、この方法は、第1のRS配置を使用して第1のリソースセットにおいて第1のRSを送信するステップであって、第1のリソースセットがOFDMシンボルの第1のサブバンドを備える、ステップと、第2のRS配置を使用して第2のリソースセットにおいて第2のRSを送信するステップであって、第2のリソースセットがOFDMシンボルの第2のサブバンドを備える、ステップとを含む。一例では、第1のRSおよび第2のRSは、共通基準信号(CRS)および/またはUE固有RS(UE-RS)を備え得る。別の例では、第1のRSおよび第2のRSは、物理ブロードキャストチャネル(PBCH)RSおよび物理ダウンリンク共有チャネル(PDSCH)復調基準信号(DMRS)を備え得る。
【０００８】
別の態様では、本開示は、UEにおけるワイヤレス通信の方法を含み、この方法は、基地局によって送信されるOFDMシンボルの複数のサブバンドの中の第1のサブバンドを備える第1のリソースセットを特定するステップと、第1の制御リソースセットとともに利用されるRSトーン位置が基地局の識別子に依存するかどうかを決定するステップと、この決定の結果に基づいてRSを受信するステップとを含む。一例では、第1のRSおよび第2のRSは、共通基準信号(CRS)および/またはUE固有RS(UE-RS)を備え得る。別の例では、第1のRSおよび第2のRSは、物理ブロードキャストチャネル(PBCH)RSおよび物理ダウンリンク共有チャネル(PDSCH)復調基準信号(DMRS)を備え得る。
【０００９】
その上、本開示はまた、上で説明された方法を実行するように構成される構成要素または上で説明された方法を実行するための手段を有する装置と、上で説明された方法を実行するようにプロセッサによって実行可能な1つまたは複数のコードを記憶するコンピュータ可読媒体とを含む。
【００１０】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載している。しかしながら、これらの特徴は、様々な態様の原理が採用され得る様々な方法のいくつかを示すものにすぎず、この説明は、すべてのそのような態様およびそれらの均等物を含むものとする。
【図面の簡単な説明】
【００１１】
【図１】ワイヤレス通信システムおよびアクセスネットワークの例を示す図である。
【図２】OFDMシンボル構造を示す図である。
【図３】アクセスネットワークの中のevolved Node B(eNB)およびユーザ機器(UE)の例を示す図である。
【図４】OFDMシンボル内に複数のサブバンドを有する例示的なフレーム構造を示す図である。
【図５】OFDMシンボルの異なるサブバンドにおける例示的なRS配置を示す図である。
【図６】ワイヤレス通信の方法のフローチャートである。
【図７】例示的な装置の中の異なる手段/構成要素間のデータフローを示す概念データフロー図である。
【図８】処理システムを利用する装置のハードウェア実装形態の例を示す図である。
【図９】ワイヤレス通信の方法のフローチャートである。
【図１０】例示的な装置の中の異なる手段/構成要素間のデータフローを示す概念データフロー図である。
【図１１】処理システムを利用する装置のハードウェア実装形態の例を示す図である。
【図１２】例示的なRSパターンを示す図である。
【図１３】OFDMシンボルの異なるサブバンドにおける例示的なRS配置を示す図である。
【図１４】DMRSおよびPBCH DMRSのための例示的なRS配置を示す図である。
【発明を実施するための形態】
【００１２】
添付の図面に関して以下に記載される発明を実施するための形態は、様々な構成の説明として意図されており、本明細書で説明される概念が実践され得る唯一の構成を表すものではない。詳細な説明は、様々な概念の完全な理解を与える目的で、具体的な詳細を含む。しかしながら、これらの概念がこれらの具体的な詳細なしに実践されてもよいことが、当業者には明らかであろう。いくつかの事例では、そのような概念を不明瞭にすることを回避するために、よく知られている構造および構成要素がブロック図の形態で示される。
【００１３】
ここで、電気通信システムのいくつかの態様が、様々な装置および方法を参照して提示される。これらの装置および方法は、以下の発明を実施するための形態において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装され得る。そのような要素がハードウェアとして実装されるか、またはソフトウェアとして実装されるかは、具体的な適用例およびシステム全体に課された設計制約に依存する。
【００１４】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システムの中の1つまたは複数のプロセッサが、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１５】
したがって、1つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、またはコンピュータ可読媒体上に1つまたは複数の命令もしくはコードとして符号化されることがある。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備え得る。
【００１６】
図1は、ワイヤレス通信システムおよびアクセスネットワーク100の例を示す図である。(ワイヤレスワイドエリアネットワーク(WWAN)とも呼ばれる)ワイヤレス通信システムは、基地局102と、UE104と、Evolved Packet Core(EPC)160とを含む。基地局102は、マクロセル(高電力セルラー基地局)および/またはスモールセル(低電力セルラー基地局)を含み得る。マクロセルはeNBを含む。スモールセルは、フェムトセルと、ピコセルと、マイクロセルとを含む。
【００１７】
(Evolved Universal Mobile Telecommunications System(UMTS) Terrestrial Radio Access Network(E-UTRAN)と総称される)基地局102は、バックホールリンク132(たとえば、S1インターフェース)を通じてEPC160とインターフェースする。他の機能に加えて、基地局102は、ユーザデータの転送、無線チャネルの暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信という機能のうちの、1つまたは複数を実行することができる。基地局102は、バックホールリンク134(たとえば、X2インターフェース)上で互いに直接的または(たとえば、EPC160を介して)間接的に通信することができる。バックホールリンク134は有線またはワイヤレスであり得る。
【００１８】
基地局102はUE104とワイヤレスに通信することができる。基地局102の各々は、それぞれの地理的カバレッジエリア110に通信カバレッジを提供し得る。重複する地理的カバレッジエリア110が存在することがある。たとえば、スモールセル102'は、1つまたは複数のマクロ基地局102のカバレッジエリア110と重複するカバレッジエリア110'を有することがある。スモールセルとマクロセルの両方を含むネットワークは、異種ネットワークとして知られていることがある。異種ネットワークは、限定加入者グループ(CSG)として知られる限定グループにサービスを提供し得るHome Evolved Node B(eNB)(HeNB)を含むこともある。基地局102の地理的カバレッジエリア110は、カバレッジエリアの一部分のみを構成するセクタまたはセル(図示せず)へと分割され得る。ワイヤレス通信ネットワーク100は、異なるタイプの基地局1052(たとえば、上で説明されるマクロ基地局またはスモールセル基地局)を含み得る。加えて、複数の基地局102は、複数の通信技術(たとえば、5G(New Radioまたは「NR」)、第4世代(4G)/LTE、3G、Wi-Fi、Bluetooth(登録商標)など)のうちの異なる通信技術に従って動作することがあり、したがって、異なる通信技術のための重複する地理的カバレッジエリア110があり得る。
【００１９】
基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、MIMOアンテナ技術を使用することができる。通信リンクは、1つまたは複数のキャリアを介することがある。基地局102/UE104は、各方向における送信に使用される合計でYxMHz(x個のコンポーネントキャリア)までのキャリアアグリゲーションにおいて割り振られた、キャリア当たりYMHz(たとえば、5、10、15、20MHz)までの帯域幅のスペクトルを使用することができる。キャリアは、互いに隣接することも、隣接しないこともある。キャリアの割振りは、DLおよびULに関して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含むことがある。1次コンポーネントキャリアは1次セル(PCell)と呼ばれることがあり、2次コンポーネントキャリアは2次セル(SCell)と呼ばれることがある。
【００２０】
ワイヤレス通信システムは、5GHzの免許不要周波数スペクトルにおいて通信リンク154を介してWi-Fi局(STA)152と通信しているWi-Fiアクセスポイント(AP)150をさらに含むことがある。免許不要周波数スペクトルにおいて通信するとき、STA152/AP150は、チャネルが利用可能であるかどうかを決定するために、通信する前にクリアチャネルアセスメント(CCA)を実行することができる。
【００２１】
スモールセル102'は、免許および/または免許不要周波数スペクトルにおいて動作し得る。免許不要周波数スペクトルにおいて動作しているとき、スモールセル102'は、LTEを利用し、Wi-Fi AP150によって使用されるのと同じ5GHz免許不要周波数スペクトルを使用することができる。免許不要周波数スペクトルにおいてLTEを利用するスモールセル102'は、アクセスネットワークへのカバレッジを拡大し、かつ/またはアクセスネットワークの容量を増やすことができる。免許不要スペクトルにおけるLTEは、LTE-unlicensed(LTE-U)、licensed assisted access(LAA)、またはMuLTEfireと呼ばれることがある。
【００２２】
ミリメートル波(mmW)基地局180は、UE182と通信するときにmmW周波数および/または準mmW周波数(near mmW frequency)で動作することがある。極高周波数(EHF:extremely high frequency)は、電磁スペクトルにおいてRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短い範囲を有する。mmW基地局180は、極めて高い経路損失および短い範囲を補償するために、UE182に対してビームフォーミング184を利用することができる。
【００２３】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンター(BM-SC)170と、パケットデータネットワーク(PDN)ゲートウェイ172とを含み得る。MME162は、ホーム加入者サーバ(HSS)174と通信していることがある。MME162は、UE104とEPC160との間のシグナリングを処理する制御ノードである。一般に、MME162はベアラおよび接続の管理を行う。すべてのユーザインターネットプロトコル(IP)パケットは、サービングゲートウェイ166を通じて転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含み得る。BM-SC170は、MBMSユーザサービスのプロビジョニングおよび配信のための機能を提供することができる。BM-SC170は、コンテンツプロバイダMBMS送信のためのエントリポイントとして機能することがあり、公衆陸上移動網(PLMN)内のMBMSベアラサービスを認可および開始するために使用されることがあり、MBMS送信をスケジュールするために使用されることがある。MBMSゲートウェイ168は、特定のサービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００２４】
基地局は、Node B、evolved Node B(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、または任意の他の同様の機能デバイスがある。加えて、UE104は、いくつかの態様では、ワイヤレス通信ネットワーク100または他のUEとまれに通信し得る、モノのインターネット(IoT)および/またはマシンツーマシン(M2M)タイプのデバイス、たとえば、低電力、低データレート(たとえば、ワイヤレス電話と比較して)タイプのデバイスであり得る。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００２５】
図1を再び参照すると、いくつかの態様では、UE104/基地局102は、異なるリソースセットを使用して基準信号を受信/送信する基準信号構成要素198を備えることがあり、異なるリソースセットの中の基準信号は、セルIDに対して異なる依存性/非依存性を有し得る。
【００２６】
図2は、DLおよびULベースのスロットを備えるフレーム構造を示す。
【００２７】
フレーム(10ms)はスロットへと分割され得る。タイムスロットを表すためにリソースグリッドが使用されることがあり、各タイムスロットは、1つまたは複数の(物理RB(PRB)とも呼ばれる)同時のリソースブロック(RB)を含む。リソースグリッドは複数のリソース要素(RE)に分割されることがある。各REによって搬送されるビット数は変調方式に依存する。
【００２８】
REのうちのいくつかは、UEにおけるチャネル推定のためのDL基準(パイロット)信号(DL-RS)を搬送することがある。DL-RSは、(共通RSと呼ばれることもある)セル固有基準信号(CRS)と、UE固有基準信号(UE-RS)と、チャネル状態情報基準信号(CSI-RS)とを含むことがある。図12は、CRS、UE-RS、CSI-RSの例示的なパターンを示す。たとえば、DLベースのスロットはDL制御領域202を備えることがあり、たとえば、DL制御領域202において、物理ダウンリンク制御チャネル(PDCCH)が送信される。同様に、ULスロットはPDCCH部分208を備え得る。UEは、UE固有の拡張PDCCH(ePDCCH)を用いて構成され得る。物理ブロードキャストチャネル(PBCH)は、マスター情報ブロック(MIB)を搬送し得る。MIBは、DLシステム帯域幅の中のRBの数と、PHICH構成と、システムフレーム番号(SFN)とを提供する。DLベースのスロットはDLデータ領域204を備えることがあり、たとえば、DLデータ領域204において、物理ダウンリンク共有チャネル(PDSCH)が、ユーザデータと、システム情報ブロック(SIB)などのPBCHを通じて送信されないブロードキャストシステム情報と、ページングメッセージとを搬送する。DLベースのスロットはまた、共通ULバースト領域206を備えることがあり、共通ULバースト領域206において、UL制御チャネル情報または他の時間に敏感な、または別様に重要なUL送信が、DLベースのスロット内で送信されることがある。
【００２９】
たとえば、UEは、サウンディング基準信号(SRS)をさらに送信することがある。SRSは、eNBによって、UL上での周波数依存スケジューリングを可能にするために、チャネル品質推定のために使用される場合がある。物理ランダムアクセスチャネル(PRACH)は、PRACH構成に基づいてフレーム内の1つまたは複数のスロット内にあり得る。PRACHにより、UEが初期システムアクセスを実行し、UL同期を実現することが可能になる。加えて、共通ULバーストは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する物理アップリンク制御チャネル(PUCCH)を備え得る。
【００３０】
DLベースのスロットと同様に、ULベースのスロットは、たとえばPDCCH送信のための、DL制御領域208を備え得る。ULベースのスロットは、たとえばデータを搬送する物理アップリンク共有チャネル(PUSCH)の送信のために、ULデータ領域210を備えることがあり、バッファステータス報告(BSR)、パワーヘッドルーム報告(PHR)、および/またはUCIを搬送するために追加で使用されることがある。ULベースのスロットはまた、DLベースのスロットと同様の共通ULバースト領域212を備え得る。
【００３１】
図3は、アクセスネットワークにおいてUE350と通信しているeNB310のブロック図である。DLでは、EPC160からのIPパケットがコントローラ/プロセッサ375に提供され得る。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けに関連するMACレイヤ機能とを提供する。
【００３２】
送信(TX)プロセッサ316および受信(RX)プロセッサ370は、様々な信号処理機能と関連付けられるレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域で基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を決定するために、ならびに空間処理のために使用されることがある。チャネル推定値は、UE350によって送信された基準信号および/またはチャネル状態フィードバックから導出されることがある。各空間ストリームは、次いで、別個の送信機318TXを介して異なるアンテナ320に提供されることがある。各送信機318TXは、送信のためにそれぞれの空間ストリームでRFキャリアを変調することがある。
【００３３】
UE350において、各受信機354RXは、受信機のそれぞれのアンテナ352を通じて信号を受信する。各受信機354RXは、RFキャリア上に変調された情報を復元し、その情報を受信(RX)プロセッサ356に提供する。TXプロセッサ368およびRXプロセッサ356は、様々な信号処理機能と関連付けられるレイヤ1機能を実装する。RXプロセッサ356は、UE350に宛てられたあらゆる空間ストリームを復元するために、情報に対して空間処理を実行することができる。複数の空間ストリームがUE350に宛てられる場合、複数の空間ストリームは、RXプロセッサ356によって単一のOFDMシンボルストリームへと合成されることがある。次いで、RXプロセッサ356は、高速フーリエ変換(FFT)を使用して、OFDMAシンボルストリームを時間領域から周波数領域に変換する。周波数領域信号は、OFDM信号の各サブキャリアに対して別々のOFDMシンボルストリームを備える。各サブキャリア上のシンボルおよび基準信号は、eNB310によって送信される、可能性が最も高い信号のコンスタレーションポイントを決定することによって復元および復調される。これらの軟判定は、チャネル推定器358によって算出されたチャネル推定値に基づくことがある。軟判定は、次いで、物理チャネル上でeNB310によって最初に送信されたデータと制御信号とを復元するために復号およびデインターリーブされる。データおよび制御信号は、次いで、レイヤ3およびレイヤ2の機能を実装するコントローラ/プロセッサ359に提供される。
【００３４】
コントローラ/プロセッサ359は、プログラムコードとデータとを記憶するメモリ360と関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを行う。コントローラ/プロセッサ359はまた、HARQ動作をサポートするために、ACKおよび/またはNACKプロトコルを使用する誤り検出に関与する。
【００３５】
eNB310によるDL送信に関して説明された機能と同様に、コントローラ/プロセッサ359は、システム情報(たとえば、MIB、SIB)収集、RRC接続、および測定報告と関連付けられるRRCレイヤ機能と、ヘッダ圧縮/解凍およびセキュリティ(暗号化、解読、完全性保護、完全性検証)と関連付けられるPDCPレイヤ機能と、上位レイヤPDUの転送、ARQを通じた誤り訂正、RLC SDUの連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、TB上へのMAC SDUの多重化、TBからのMAC SDUの逆多重化、スケジューリング情報報告、HARQを通じた誤り訂正、優先度処理、および論理チャネル優先度付けと関連付けられるMACレイヤ機能とを提供する。
【００３６】
eNB310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用され得る。TXプロセッサ368によって生成された空間ストリームは、別個の送信機354TXを介して異なるアンテナ352に提供されることがある。各送信機354TXは、送信のためにそれぞれの空間ストリームでRFキャリアを変調し得る。
【００３７】
UL送信は、UE350における受信機機能に関して説明された方式と同様の方式で、eNB310において処理される。各受信機318RXは、受信機のそれぞれのアンテナ320を通じて信号を受信する。各受信機318RXは、RFキャリア上に変調された情報を復元し、その情報をRXプロセッサ370に提供する。
【００３８】
コントローラ/プロセッサ375は、プログラムコードとデータとを記憶するメモリ376と関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを行う。コントローラ/プロセッサ375からのIPパケットは、EPC160に提供されることがある。コントローラ/プロセッサ375は、HARQ動作をサポートするために、ACKおよび/またはNACKプロトコルを使用する誤り検出も担う。
【００３９】
5GまたはNRワイヤレス通信では、1つのOFDMシンボル内に、異なるサブバンドの中に位置するリソースセットがあり得る。図4は、OFDMシンボル404a、404b内に複数のサブバンド402a、402b、402cを有する例示的なフレーム構造400を示す。RS406は、対応するOFDMシンボルの異なるサブバンドにおいて送信され得る。
【００４０】
たとえば、同じOFDMシンボル内に、OFDMシンボルの異なるサブバンドの中に位置する異なるリソースセットがあり得る。図5は、サブバンド510内の共通リソースセットと、OFDMシンボル504内のサブバンド512内のUE固有リソースセットとを有する、フレーム構造の例500を示す。共通リソースセットおよびUE固有リソースセットは、各OFDMシンボル内の異なるサブバンドに位置する。共通RS511は、サブバンド510の共通リソースセット内の基地局または他のアクセスポイントによって送信されることがあり、UE固有RS513は、UE固有RS512内の基地局または他のアクセスポイントによって送信されることがある。両方のリソースセット、すなわち共通リソースセット510およびサブバンド512のUE固有リソースセットは、OFDMシンボル帯域幅の制御領域内にあり得る。
【００４１】
OFDMシンボル内のRSの位置は、識別子に基づき得る。たとえば、OFDMシンボル内のRSの位置は、RSを送信する基地局またはアクセスポイントの識別子に依存し得る。様々なタイプの識別子の中でも、この識別子は基地局またはアクセスポイントのセルIDを備え得る。一例では、識別子は仮想セルIDを備え得る。UEは、たとえばPSS、SSSなどからセル識別子を抽出することによって、セル識別子を認識し得る。別の例では、専用シグナリングが、たとえばハンドオーバーにおいて、セル識別子を提供するために使用され得る。代替的に、OFDMシンボル内のRSの位置は、セルIDとは無関係であり得る。本明細書で提示されるように、1つのOFDMシンボル内で、たとえば404a、404b、または504内で、RS配置設計は、異なるサブバンド上の異なるリソースセットに対して異なり得る。これは、あるOFDMシンボル内でRS配置がセルIDに依存するかセルIDとは無関係であるかのいずれかである、LTEとは異なる。
【００４２】
たとえば、共通リソースセット(たとえば、510)については、RSトーン位置はセルIDに依存し得る。共通RS511は、セルのカバレッジ内のいくつかのUEを対象とする情報を含み得る。セルIDに依存する共通RS配置は、干渉の観点からセル端においてUEに対するより良好なチャネル推定および測定を実現し得る。共通RS配置はセルIDに依存するので、近隣セルは、異なるセルIDが原因で異なるRS配置を有する可能性が高い。近隣セルの負荷が部分的であるとき、たとえば共通RSのみを送信しているとき、UEが、サービングセルのための共通RSを受信することを試みる間に、近隣セルの共通RSからの干渉を受ける可能性は低い。異なるセルIDが原因で、異なるセルに対しては配置が異なる可能性が高いので、近隣セルの共通RSによって引き起こされる干渉を回避することができる。
【００４３】
別の例では、ある共通RSはセルIDに依存することがあり、一方で他の共通RSはセルIDとは無関係であることがある。共通リソース内の共通RSの位置がセルIDに依存するか、または無関係であるかをUEに知らせるために、基地局またはアクセスポイントは、共通リソースセット内の共通RSの配置がセルIDに依存するかセルIDと無関係であるかについて、マスター情報ブロック(MIB)または最小限システム情報ブロック(MSIB)において指示を送信し得る。たとえば、sub-6キャリア周波数、たとえば6GHz未満の周波数を備える共通リソースセットについて、共通RSはセルIDと無関係であり得る。基地局は、共通RSがセルIDに依存することを示す指示をMIB/MSIBにおいて送信してもよく、または、共通RSがセルIDと無関係であることの指示を送信するのを控えてもよい。mm波キャリア周波数を有する共通リソースセットについて、共通RSのマッピングはセルIDと無関係であり得る。基地局は、共通RSがセルIDと無関係であることを示す指示をMIB/MSIBにおいて送信してもよく、または、共通RSがセルIDに依存することの指示を送信するのを控えてもよい。したがって、共通RSを受信するUEは、基地局からのMIB/MSIBシグナリングを通じて、共通RS位置がセルIDに依存するかどうかを決定し得る。別の例では、UEは、共通リソースセットのキャリア周波数に基づいて、共通RS位置がセルIDに依存するかどうかを決定し得る。
【００４４】
別の例では、セルIDに対するRSの位置の依存性は、データがRSとともに送信される可能性が高いかどうかに依存し得る。たとえば、UE固有RSのように、共通RSがデータとともに送信される場合、競合するRSトーンが有益であることがあり、配置はセルIDと無関係であることがある。しかしながら、RSがデータなしで送信される場合、競合しないRSが好ましいことがあり、配置はセルIDに依存することがある。
【００４５】
別の例では、モビリティ基準信号、ビーム訓練信号、または精緻化信号が、送信している基地局の識別子に依存するRS配置を備え得る。RSマッピングは、とりわけセルID、仮想セルID、測定ID、またはシンボルインデックスなどの、識別子に依存し得る。識別子に依存するものとしてそのような信号をマッピングすることは、類似する近隣セル送信とのトーンオフセットにより、それらの信号の再使用率を高め得る。
【００４６】
UE固有リソースセット512の中のUE固有RS513は、UE固有RSを送信する基地局またはアクセスポイントのセルIDと無関係な配置を有し得る。データおよびパイロット情報は、UE固有RSに対して一緒に送信される可能性が高いことがある。そのようなUE固有RSが近隣セルのためのUE固有RSと同じ位置にあることは、有益であり得る。たとえば、トーン位置が同じであることは、干渉打消し技法に役立ち得る。
【００４７】
したがって、UEは、アクセスポイントによって送信される1つのOFDMシンボルの複数のサブバンド内の第1の制御リソースセットを備える共通リソースセット、たとえば510を特定し得る。複数のサブバンドは、OFDMシンボルの制御領域内にあり得る。UEは次いで、第1の制御リソースセットとともに利用される共通RSトーン位置がアクセスポイントのセルIDに依存するかどうかを決定し得る。UEは、その依存性を示すMIB信号/MSIB信号のいずれかからその依存性を決定してよく、または、第1の制御リソースセットのキャリア周波数に基づいてその決定を行ってよい。セルIDに対する依存性を決定した後で、UEは、共通RSを受信するためにその決定を使用することができる。UEはまた、共通RSを受信するために、共通RSのRSトーン位置についての、セル識別子に依存するシフトを決定し得る。UEは次いで、複数のサブバンドの中の第2のサブバンドを備える第2の制御リソースセットを特定し得る。UEは、共通RSから復号されるメッセージに少なくとも一部基づいてその特定を行い得る。第2の制御リソースセットは、UE固有検索空間を備え得る。したがって、UEは、UE固有検索空間におけるUE固有RSの位置を決定するために、共通RSからのグラントを使用し得る。この決定はセル識別子と無関係であり得る。
【００４８】
別の例では、RSは、PBCH RSおよびPDSCH RSを備え得る。たとえば、PBCH RSを送信するために使用されるリソースセットはセルIDに依存することがあり、同じサブフレーム内で、第2のリソースセット上のPDSCH DMRSはセルIDと無関係であることがある。別の例では、PDSCH DMRSもセルIDに依存することがある。
【００４９】
加えて、リソースセットは周波数シフトを備え得る。したがって、単一のサブフレーム内で、ある基準信号はセルIDに依存する周波数シフトを有しないことがあるが、一方で、別の基準信号は、基準信号を送信する基地局のセルIDに基づく適用された周波数シフトを有する。基準信号は、異なるリソースセット、たとえば異なるサブバンドに対応し得る。したがって、第1のサブバンドは、周波数シフトのない基準信号を備えることがあり、別のサブバンドの中の基準信号は、セルIDに依存する周波数シフトに基づいて送信されることがある。
【００５０】
一例では、PDSCH DMRSは、セルIDに依存する周波数シフトなしで送信されることがあり、同じサブフレーム内で、セルIDに依存する周波数シフトを有するPBCH RSが送信されることがある。PDSCH DMRSは、コム構造に基づいて送信されることがある。別の例として、あるリソースセットにおいては、PDSCH RSがセルIDに依存する周波数シフトなしで送信されることがあり、同じサブフレームの中の別のリソースセットにおいては、PDSCH RSがセルIDに依存する周波数シフトとともに送信されることがある。周波数シフトはまた、別のセルDMRSとの競合を最小限にすることによって、DMRS検出を改良し得る。セルIDに依存する周波数シフトは、シーケンス間の相互相関が大きい状況を最小限にする。
【００５１】
第1のPDSCH DMRSの場所は、固定されたまたはあらかじめ設定された場所であり得る。たとえば、第1のPDSCH DMRSの場所は、スロットの3番目または4番目のシンボルに固定/あらかじめ設定され得る。PBCHシンボルは、スロット内の4番目のシンボル、または他のシンボルに位置し得る。同期信号(SS)ブロック内に2つのPBCHシンボルがある例では、送信はPSS-PBCH-SSS-PBCHとして構成され得る。セルIDに基づく周波数シフトは、PBCH RSリソース要素の位置に適用され得る。たとえば、周波数シフトvshiftはvshift = NID cell mod 4に基づくことがあり、NIDcellは、PBCH RSを送信する基地局のセルIDに基づくインデックスを示す。
【００５２】
周波数シフトは、別のセルのCRS、PBCH RS、またはDMRSとの競合を最小限にし、検出を改良し得る。異なるトーンへのセルIDに依存する周波数シフトは、さらなるランダム化をもたらすことによって、シーケンス間の重複を避けるのを助け得る。たとえば、時々、基準信号は情報を搬送するように構成されることがある。近隣セルは、それらの基準信号間に大きな相互相関を有することがあり、このことは、特定の基準信号によって示される情報をユーザ機器が決定する能力を低下させることがある。セルに依存する周波数シフトの使用を通じて、基準信号においてさらなるランダム化が可能になり得る。そのようなランダム化は、近隣セルの基準信号シーケンス間の相互相関の状況を減らし得る。
【００５３】
別の例として、セルIDに依存する周波数シフトはCRSに適用されることがあり、同じサブフレーム内で、UE-RSは周波数シフトなしで送信されることがある。たとえば、CRSは、トーン0、3、6、9、...で送信されることがある。周波数シフトは、たとえばセル識別子に基づいて適用され得る。たとえば、セルIDに基づいて、「1」という周波数シフトが示され得る。したがって、CRSは、0、3、6、9、...ではなく、トーン1、4、7、10...で送信される。
【００５４】
図13は、PBCH RSとPDSCH DMRSの両方を備える単一のOFDMシンボル1304の2つの異なるサブバンドの例1300を示す。PDSCH DMRSは、周波数シフトなしで、たとえば設定された位置で送信され得る。PBCH RSは、セルIDまたは仮想セルIDに依存する周波数シフトを有し得る。このセルIDに依存する周波数シフトは、PDSCH DMRSとPBCH RSとの間の相互相関を防ぐのを助ける。
【００５５】
15kHzのサブキャリア間隔では、2つのSSブロック候補位置が14個のシンボルのスロットへマッピングされることがあり、第1の候補位置はシンボル2〜5であり、第2の候補位置はシンボル8〜11である。30kHzのサブキャリア間隔では、2つのSSブロック候補位置が14個のシンボルのスロットへマッピングされることがあり、第1の候補位置はシンボル2〜5であり、第2の候補位置はシンボル8〜11である。図14は、周波数シフトのないPDSCH DMRSと周波数シフトのあるPBCH DMRSの重複を示す、120kHzの例1400を示す。図14では、PDSCH DMRSおよびPBCH DMRSは、スロット1では同じシンボルの中にあるが、スロット0ではそうではない。示されるように、2シンボルのPDSCH DMRSは3番目のシンボルにおいて開始することがあり、4番目のシンボルで開始する1シンボルのPDSCH DMRSがスロット1上でPBCH DMRSと競合する。さらなる競合は、前倒しされないDMRSで発生し得る。SSは、たとえばPSSまたはSSSを備え得る。図14は、PBCHがあるシンボルにおいて送信され、次のシンボルの中のSSがそれに続き、そのシンボルの中のPBCHがそのSSに続き、そのシンボルの中の別のSSが第2のPBCHに続くような、例示的なPBCH-SS-PBCH-SSの配置を示す。120kHzのサブキャリア間隔では、SS/PBCHブロック候補の最初のOFDMシンボルは、インデックス{4,8,16,20}+28*nを有し得る。6GHzより高いキャリア周波数に対しては、nは0、1、2、3、5、6、7、8、10、11、12、13、15、16、17、18に等しいことがある。
【００５６】
図6は、ワイヤレス通信の方法のフローチャート600である。この方法は、基地局または他のアクセスポイント(たとえば、基地局102、eNB310、装置702/702')によって実行され得る。604において、基地局は、第1のRS配置を使用して第1の制御リソースにおいて第1のRSを送信し、第1のリソースセットは、たとえば図4および図5に関連して説明されたように、OFDMシンボルの第1のサブバンドを備える。第1のリソースセットにおける第1のRS配置は、基地局に対応する識別子セルIDに依存することがある。一例では、セルIDは仮想セルIDを備え得る。基地局は任意選択で、602に示されるように、共通RSのための第1のRS配置が基地局に対応するセルIDに依存することを示す、MIB/MSIBを送信し得る。図6の任意選択の態様は、破線を使用して示される。
【００５７】
606において、基地局は、第2のRS配置を使用して第2のリソースセットにおいて第2のRSを送信し、第2のリソースセットは、OFDMシンボルの第2のサブバンドを備える。第2の制御リソースにおける第2のRS配置は、基地局に対応するセルIDと無関係であることがある。
【００５８】
第1の例では、第1のRSはCRSを備えることがあり、第2のRSはUE-RSを備えることがある。たとえば、基地局は、セルIDに依存する第1のRS配置を使用して第1のサブバンドにおいてCRSを送信することがあり、セルIDと無関係な第2のRS配置を使用して第2のサブバンドにおいてUE-RSを送信することがある。
【００５９】
別の例では、第1のRSは第1のCRSを備えることがあり、第2のRSは第2のCRSを備えることがある。第2のCRSのための第2のRS配置の依存性/非依存性は、第2のRSを送信するために使用されるキャリア周波数に基づき得る。602において、基地局は、第2のCRSのための第2のRS配置が基地局に対応するセルIDと無関係であることを示す、MIB/MSIBを送信し得る。
【００６０】
別の例では、第1のRSは、モビリティ基準信号、ビーム訓練信号、および精緻化信号のうちの少なくとも1つを備え得る。第1のサブバンドにおける第1のRS配置は、基地局に対応するセルIDに対するマッピング依存性を備え得る。一例では、セルIDは仮想セルIDまたは測定IDを備え得る。マッピングはさらに、シンボルインデックスに依存し得る。
【００６１】
別の例では、第1のRSはPBCH RSを備えることがあり、第2のRSはPDSCH DMRSを備えることがある。PBCH RSに対する、基地局に対応するセルIDに依存する第1のRS配置は、基地局のセルIDに依存する周波数シフトを備え得る。PDSCH DMRSは、周波数シフトなしで、固定されたまたはあらかじめ設定された位置において送信され得る。
【００６２】
図7は、例示的な装置702における異なる手段/構成要素間のデータフローを示す概念データフロー図700である。装置は、基地局(たとえば、基地局102、eNB310)であり得る。装置は、UEからUL通信を受信する受信構成要素704と、共通RSおよびUE固有RSを含むDL通信をUE750へ送信する送信構成要素710とを含む。送信構成要素710はまた、MIB/MSIBを送信し得る。図6に関連して説明されたように、装置は、第1のRS配置を使用して第1のリソースセットにおいて第1のRSを送信し、第1のリソースセットがOFDMの第1のサブバンドを備え、第2のRS配置を使用して第2のリソースセットにおいて第2のRSを送信し、第2のリソースセットがOFDMシンボルの第2のサブバンドを備える、ように構成される、RSコンポーネント706を含む。RSコンポーネントは、送信構成要素710を介してRSを送信し得る。装置はまた、送信構成要素710を介して、RSの位置がセルIDと無関係であるか/それに依存するかの指示を備えるMIB/MSIBを送信する、MIB/MSIB構成要素708を含み得る。
【００６３】
装置は、図6の上述のフローチャートの中のアルゴリズムのブロックの各々を実行する追加の構成要素を含み得る。したがって、図6の上述のフローチャートの中の各ブロックは、1つの構成要素によって実行されることがあり、装置は、それらの構成要素のうちの1つまたは複数を含み得る。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであり得る。
【００６４】
図8は、処理システム814を利用する装置702'のハードウェア実装形態の例を示す図800である。処理システム814は、バス824によって全体的に表されるバスアーキテクチャを用いて実装され得る。バス824は、処理システム814の具体的な適用例と全体的な設計制約とに応じて、任意の数の相互接続するバスおよびブリッジを含み得る。バス824は、プロセッサ804によって表される1つまたは複数のプロセッサおよび/またはハードウェア構成要素と、構成要素704、706、708、710と、コンピュータ可読媒体/メモリ806とを含む様々な回路を互いにつなぐ。また、バス824は、タイミングソース、周辺機器、電圧レギュレータ、および電力管理回路などの様々な他の回路をつなぎ得るが、これらの回路は当技術分野でよく知られており、したがって、これらの回路についてはこれ以上説明されない。
【００６５】
処理システム814は、トランシーバ810に結合され得る。トランシーバ810は、1つまたは複数のアンテナ820に結合される。トランシーバ810は、伝送媒体を通じて様々な他の装置と通信するための手段を提供する。トランシーバ810は、1つまたは複数のアンテナ820から信号を受信し、受信された信号から情報を抽出し、抽出された情報を処理システム814、特に受信構成要素704に与える。さらに、トランシーバ810は、処理システム814、特に送信構成要素710から情報を受信し、受信された情報に基づいて、1つまたは複数のアンテナ820に印加されるべき信号を生成する。処理システム814は、コンピュータ可読媒体/メモリ806に結合されたプロセッサ804を含む。プロセッサ804は、コンピュータ可読媒体/メモリ806に記憶されたソフトウェアの実行を含む全体的な処理を担う。ソフトウェアは、プロセッサ804によって実行されると、任意の特定の装置に対して、上で説明された様々な機能を処理システム814に実行させる。コンピュータ可読媒体/メモリ806は、ソフトウェアを実行するときにプロセッサ804によって操作されるデータを記憶するためにも使用されることがある。処理システム814は、構成要素704、706、708、710のうちの少なくとも1つをさらに含む。それらの構成要素は、プロセッサ804の中で動作し、コンピュータ可読媒体/メモリ806の中に存在する/記憶されたソフトウェア構成要素、プロセッサ804に結合された1つもしくは複数のハードウェア構成要素、またはそれらの何らかの組合せであり得る。処理システム814は、eNB310の構成要素であってよく、メモリ376、ならびに/または、TXプロセッサ316、RXプロセッサ370、およびコントローラ/プロセッサ375のうちの少なくとも1つを含んでよい。
【００６６】
一構成では、ワイヤレス通信のための装置702/702'は、第1のRS配置を使用して第1のリソースセットにおいて第1のRSを送信するための手段(たとえば、706、710)であって、第1のリソースセットがOFDMシンボルの第1のサブバンドを備える、手段と、第2のRS配置を使用して第2のリソースセットにおいて第2のRSを送信するための手段(たとえば、706、710)であって、第2のリソースセットがOFDMシンボルの第2のサブバンドを備える、手段と、共通RSのためのRS配置が基地局に対応するセルIDと無関係である/それに依存することを示すMIB/MSIBを送信するための手段(たとえば、708、710)とを含む。上述の手段は、上述の手段によって列挙された機能を実行するように構成された装置702および/または装置702'の処理システム814の上述の構成要素のうちの1つまたは複数であってよい。上で説明されたように、処理システム814は、TXプロセッサ316と、RXプロセッサ370と、コントローラ/プロセッサ375とを含み得る。したがって、一構成では、上述の手段は、上述の手段によって列挙された機能を実行するように構成されたTXプロセッサ316、RXプロセッサ370、およびコントローラ/プロセッサ375であってもよい。
【００６７】
図9は、ワイヤレス通信の方法のフローチャート900である。方法は、UE(たとえば、UE104、350、装置1002/1002')によって実行され得る。902において、UEは、たとえば図4および図5に関連して説明されたように、基地局によって送信されるOFDMシンボルの複数のサブバンドの中の第1のサブバンドを備える第1のリソースセットを特定する。第1のOFDMシンボルは制御領域を備えることがあり、複数のサブバンドは共通検索空間および少なくとも1つのUE固有検索空間を含み得る。別の例では、第1のリソースセットは、他のRS、たとえばPBCH RS、PDSCH DMRSなどを送信するために使用され得る。
【００６８】
904において、UEは、第1のリソースセットとともに利用されるRS配置、たとえばトーン位置が基地局のセルIDに依存するかどうかを決定する。一例では、セルIDは仮想セルIDを備え得る。一例では、第1のリソースセットは共通検索空間を備えることがあり、RSはCRSを備えることがある。904における決定は、マスター情報ブロックまたはシステム情報ブロックメッセージに少なくとも一部基づき得る。別の例では、904における決定は、基地局によって使用されるキャリア周波数に少なくとも一部基づき得る。別の例では、RSはCRSを備えることがあり、904における決定は、CRSのRS配置のためのセルIDに依存するシフトを決定することを備え得る。
【００６９】
別の例では、リソースセットは、基地局のセルIDに依存するRS配置を有するPBCH RSを送信するために使用され得る。たとえば、PBCH RSは、セルIDに依存する周波数シフトを備え得る。
【００７０】
906において、UEは、904における決定の結果に基づいて、RS、たとえばCRS、UE-RS、PBCH RS、またはPDSCH DMRSを受信する。
【００７１】
UEは任意選択で、907において、複数のサブバンドの中の第2のサブバンドを備える第2のリソースセットをさらに特定し得る。909において、UEは、基地局のセルIDとは無関係な第2のRSのための第2のRS配置を決定し得る。第1のRSのためのRS配置は、基地局のセルIDに依存する周波数シフトに基づいて決定されることがあり、第2のRSのための第2のRS配置はセルIDに依存する周波数シフトなしで決定される。
【００７２】
第2のリソースセットは、908において、第1のリソースセットから復号されるメッセージに少なくとも一部基づいて特定され得る。第2のリソースセットは、たとえばUE固有検索空間を備えることがあり、910において、UEはさらに、メッセージに基づいて、UE固有検索空間の中のUE固有RS位置を決定し得る。UE固有検索空間の中のUE固有RS位置は、識別子と無関係であり得る。次いで、912において、UEは、910における決定に基づいてUE固有RSを受信し得る。したがって、この例では、UEは、セルID/仮想セルIDに依存するRS配置を有するCRSと、同じシンボル内のセルID/仮想セルIDと無関係な異なるRS配置を有するUE-RSとを受信し得る。別の例では、両方のRSがCRSを備えることがあり、第1のCRSはセルID/仮想セルIDに依存するRS配置を有し、第2のCRSは同じシンボル内のセルID/仮想セルIDと無関係な異なるRS配置を有する。たとえば、異なるキャリア周波数の中のCRSは、セルIDに対する依存性/非依存性が異なるRS配置を有し得る。したがって、908において特定される第2のリソースセットは第2のCRSを備えることがあり、UEは910において第2のCRSの場所を決定することがある。
【００７３】
別の例では、UEは、同じシンボルにおいて、セルIDに依存する周波数シフトを有するPBCH RSと、セルIDに依存する周波数シフトのないPDSCH DMRSとを受信し得る。したがって、908において特定される第2のリソースセットは、PDSCH DMRSに対応し得る。910において、UEは、たとえばセルIDに依存する周波数シフトのない、PDSCH RSのRS配置を決定し得る。
【００７４】
図10は、例示的な装置1002の中の様々な手段/構成要素間のデータフローを示す概念データフロー図1000である。装置はUEであり得る。装置は、基地局によって送信されるOFDMシンボルの複数のサブバンドの中の第1のサブバンドを備える第1のリソースセットを特定するRS構成要素1006と、第1のリソースセットとともに利用されるRS配置が基地局のセルIDに依存するかどうかを決定するRS配置構成要素1012と、基地局1050からRSを受信する受信構成要素1004とを含む。図9に関連して説明されたように、RS構成要素1006はまた、複数のサブバンドの中の第2のサブバンドを備える第2のリソースセットを特定するように構成されることがあり、RS配置構成要素1012は、第2のRSのための第2のRS配置を決定するように構成されることがある。装置はまた、RSがMIB/MSIBの中の基地局のセル識別子に依存するかどうかに関する情報を受信する基地局および/またはMIB/MSIB構成要素1008にUL通信を送信する、送信構成要素1010を含み得る。
【００７５】
装置は、図9の上述のフローチャートの中のアルゴリズムのブロックの各々を実行する追加の構成要素を含むことがある。したがって、図9の上述のフローチャートの中の各ブロックは、1つの構成要素によって実行されることがあり、装置は、それらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【００７６】
図11は、処理システム1114を利用する装置1002'のハードウェア実装形態の例を示す図1100である。処理システム1114は、バス1124によって全体的に表されるバスアーキテクチャを用いて実装され得る。バス1124は、処理システム1114の具体的な適用例および全体的な設計制約に応じて、任意の数の相互接続バスとブリッジとを含み得る。バス1124は、プロセッサ1104によって表される1つまたは複数のプロセッサおよび/またはハードウェア構成要素と、構成要素1004、1006、1008、1010と、コンピュータ可読媒体/メモリ1106とを含む様々な回路を互いにつなぐ。バス1124はまた、タイミングソース、周辺装置、電圧調整器、および電力管理回路などの、様々な他の回路をつなぎ得るが、これらの回路は当技術分野においてよく知られており、したがって、これらの回路はこれ以上説明されない。
【００７７】
処理システム1114はトランシーバ1110に結合され得る。トランシーバ1110は1つまたは複数のアンテナ1120に結合される。トランシーバ1110は、送信媒体を通じて様々な他の装置と通信するための手段を与える。トランシーバ1110は、1つまたは複数のアンテナ1120から信号を受信し、受信された信号から情報を抽出し、抽出された情報を処理システム1114、具体的には受信構成要素1004に提供する。加えて、トランシーバ1110は、処理システム1114、具体的には送信構成要素1010から情報を受信し、受信された情報に基づいて、1つまたは複数のアンテナ1120に加えられるべき信号を生成する。処理システム1114は、コンピュータ可読媒体/メモリ1106に結合されたプロセッサ1104を含む。プロセッサ1104は、コンピュータ可読媒体/メモリ1106に記憶されたソフトウェアの実行を含む、一般的な処理を担う。ソフトウェアは、プロセッサ1104によって実行されると、任意の特定の装置について上で説明された様々な機能を処理システム1114に実行させる。コンピュータ可読媒体/メモリ1106はまた、ソフトウェアを実行するときにプロセッサ1104によって操作されるデータを記憶するために使用され得る。処理システム1114は、構成要素1004、1006、1008、1010のうちの少なくとも1つをさらに含む。それらの構成要素は、プロセッサ1104内で動作し、コンピュータ可読媒体/メモリ1106の中に存在する/記憶されたソフトウェア構成要素、プロセッサ1104に結合された1つまたは複数のハードウェア構成要素、またはそれらの何らかの組合せであり得る。処理システム1114は、UE350の構成要素であることがあり、メモリ360、ならびに/またはTXプロセッサ368、RXプロセッサ356、およびコントローラ/プロセッサ359のうちの少なくとも1つを含むことがある。
【００７８】
一構成では、ワイヤレス通信のための装置1002/1002'は、基地局によって送信されるOFDMシンボルの複数のサブバンドの中の、第1のサブバンドを備える第1のリソースセットおよび第2のサブバンドを備える第2のリソースセットを特定するための手段(たとえば、1006)と、第1のサブバンドとともに利用されるRS配置が基地局の識別子セルIDに依存するかどうかを決定するための手段(たとえば、1012)と、この決定の結果に基づいてRSを受信するための手段(たとえば、1004)と、基地局のセルIDと無関係な第2のRSのRS位置を決定するための手段(たとえば、1012)と、セルIDと無関係なUE固有リソースセットの中のUE固有RS位置を決定するための手段(たとえば、1012)と、RSを受信するための手段(たとえば、1004)とを含む。上述の手段は、上述の手段によって列挙された機能を実行するように構成された装置1002および/または装置1002'の処理システム1114の上述の構成要素のうちの1つまたは複数であり得る。上で説明されたように、処理システム1114は、TXプロセッサ368、RXプロセッサ356、およびコントローラ/プロセッサ359を含み得る。そのため、一構成では、上述の手段は、上述の手段によって列挙された機能を実行するように構成されたTXプロセッサ368、RXプロセッサ356、およびコントローラ/プロセッサ359であり得る。
【００７９】
開示されたプロセス/フローチャートにおけるブロックの特定の順序または階層は例示的な手法の例示であることを理解されたい。設計上の選好に基づいて、プロセス/フローチャートにおけるブロックの特定の順序または階層が再構成されることがあることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【００８０】
上述の説明は、本明細書で説明された様々な態様を当業者が実践できるようにするために提供される。これらの態様への様々な変更は当業者に容易に明らかになり、本明細書で定義される一般原理は他の態様に適用されてもよい。したがって、特許請求の範囲は、本明細書に示される態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という単語は、本明細書では「例、事例、または例示としての働きをすること」を意味するために使用される。本明細書で「例示的」であるものとして説明されているいずれの態様も、必ずしも他の態様よりも好ましいまたは有利であると解釈されるべきではない。別段特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示されたものは、そのような開示が特許請求の範囲に明示的に列挙されているかどうかにかかわらず、公に供されるものではない。「モジュール」、「機構」、「要素」、「デバイス」などの単語は、「手段」という単語の代用ではないことがある。したがって、いかなるクレーム要素も、その要素が「のための手段」という語句を使用して明確に列挙されていない限り、ミーンズプラスファンクションとして解釈されるべきではない。
【符号の説明】
【００８１】
100  アクセスネットワーク
102  基地局
104  UE
110  地理的カバレッジエリア
120  通信リンク
132  バックホールリンク
134  バックホールリンク
150  Wi-Fiアクセスポイント
152  STA
154  通信リンク
160  EPC
162  MME
164  他のMME
166  サービングゲートウェイ
170  BM-SC
172  PDNゲートウェイ
174  HSS
176  IPサービス
180  mmW基地局
182  UE
184  ビームフォーミング
198  基準信号構成要素
202  DL制御領域
204  DLデータ領域
206  共通ULバースト領域
208  PDCCH部分
210  ULデータ領域
212  共通ULバースト領域
310  eNB
316  TXプロセッサ
318  送信機、受信機
320  アンテナ
350  UE
352  アンテナ
354  受信機、送信機
356  RXプロセッサ
358  チャネル推定器
359  コントローラ/プロセッサ
360  メモリ
368  TXプロセッサ
370  RXプロセッサ
374  チャネル推定器
375  コントローラ/プロセッサ
376  メモリ
402a、402b、402c  サブバンド
404a、404b  OFDMシンボル
406  RS
504  OFDMシンボル
510  共通サブバンド
511  共通RS
512  UE固有サブバンド
513  UE固有RS
702、702'  装置
704  受信構成要素
706  RS構成要素
708  MIB/MSIB構成要素
710  送信構成要素
750  UE
804  プロセッサ
806  コンピュータ可読媒体/メモリ
810  トランシーバ
814  処理システム
820  アンテナ
824  バス
1002、1002'  装置
1004  受信構成要素
1006  RS構成要素
1008  MIB/MSIB構成要素
1010  送信構成要素
1012  RS配置構成要素
1050  基地局
1104  プロセッサ
1106  コンピュータ可読媒体/メモリ
1110  トランシーバ
1114  処理システム
1120  アンテナ
1124  バス
1304  OFDMシンボル
【図１】
0006724256.tif 000002
【図２】
0006724256.tif 000003
【図３】
0006724256.tif 000004
【図４】
0006724256.tif 000005
【図５】
0006724256.tif 000006
【図６】
0006724256.tif 000007
【図７】
0006724256.tif 000008
【図８】
0006724256.tif 000009
【図９】
0006724256.tif 000010
【図１０】
0006724256.tif 000011
【図１１】
0006724256.tif 000012
【図１２】
0006724256.tif 000013
【図１３】
0006724256.tif 000014
【図１４】
0006724256.tif 000015